(57)【要約】【課題】  タンス等にて使用される乾燥剤を容易に効率よく乾燥する除湿装置と除湿装置用アタッチメントを提供することを課題とする。【解決手段】  吸気口２及び排気口18を有し、吸気口２から排気口18へ至る通気流路５を内部に形成した除湿装置本体１と、除湿装置本体１内に配設され、通気流路を流れる空気を除湿する除湿手段とを有し、排気口18から排出される空気に接触する位置に、乾燥剤を着脱自在に収納する収納部19を形成する。乾燥剤は、収納部に収納することにより、排気口からの乾燥空気によって短時間に容易に再生される。【選択図】        図１
2008212823.tif 000002
【特許請求の範囲】
【請求項１】
吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口から排出される空気に接触する位置に、乾燥剤を着脱自在に収納する収納部を形成したことを特徴とする除湿装置。
【請求項２】
吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記通気流路には、除湿手段より下流側に、乾燥剤を着脱自在に収納する収納部を形成したことを特徴とする除湿装置。
【請求項３】
吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口から排出される空気に接触する位置に、乾燥剤を収納した部材を係脱自在に係止する係止部を形成したことを特徴とする除湿装置。
【請求項４】
吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口に除湿剤を着脱自在に装着したことを特徴とする除湿装置。
【請求項５】
前記排気口に、排気方向を調整するルーバーを設け、該ルーバーを構成する壁面間に乾燥剤を収納する収納部を形成したことを特徴とする請求項１記載の除湿装置。
【請求項６】
前記乾燥剤の乾燥運転選択時、除湿手段の風量を増大させることを特徴とする請求項１から４のいずれかに記載の除湿装置。
【請求項７】
前記乾燥剤の乾燥運転選択時、乾燥剤を乾燥し得る予め定められた所定時間経過後に自動的に運転を停止することを特徴とする請求項１から４のいずれかに記載の除湿装置。
【請求項８】
前記排気口の上流側に通気流路を流れる空気を加熱する加熱手段を設けたことを特徴とする請求項１から４のいずれかに記載の除湿装置。
【請求項９】
乾燥剤を収納し、除湿装置の排気口に係脱自在に係止する係止部を形成したことを特徴とする除湿装置用アタッチメント。
【請求項１０】
空気中の水分を吸着する乾燥剤と、側面に多数の開口を有する格子状に形成され、内部に前記乾燥剤を収納する枠体とからなり、前記枠体に、除湿装置の排気口に着脱自在に係止する係止部を形成したことを特徴とする除湿装置用アタッチメント。
【請求項１１】
前記枠体は、前記乾燥剤を着脱自在に収納したことを特徴とする請求項９または１０記載の除湿装置用アタッチメント。
【発明の詳細な説明】
【技術分野】
【０００１】
本願発明は、タンスの引き出しや下駄箱などの空気中の水分を吸着する乾燥剤を再生し得る除湿装置及び除湿装置用アタッチメントに関する。
【背景技術】
【０００２】
タンスの引き出しや、下駄箱などに、乾燥剤を入れ、引き出しや下駄箱などを除湿することが一般に行われている。この乾燥剤は、シリカゲルが多く使用され、水分を吸着した乾燥剤は、例えば、天日に干したり、電子レンジ等により加熱するなどにより再生される（例えば、特許文献１参照）。
【特許文献１】実開平５−４９０２６号公報
【発明の開示】
【発明が解決しようとする課題】
【０００３】
しかしながら、天日に干す場合には、再生時間が長くなり、また、電子レンジ等により加熱する場合は、シリカゲルを入れた袋が破れるなどの問題があった。
【０００４】
そこで、本発明はこのような課題を解決するためになされたものであり、乾燥剤を容易に効率よく乾燥し得る除湿装置及び除湿装置用アタッチメントを提供することを特徴とする。
【課題を解決するための手段】
【０００５】
上記のような目的を達成するために、本願発明の除湿装置は、吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口から排出される空気に接触する位置に、乾燥剤を着脱自在に収納する収納部を形成したことを特徴とする。
【０００６】
また、本発明の除湿装置は、吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記通気流路には、除湿手段より下流側に、乾燥剤を着脱自在に収納する収納部を形成したことを特徴とする。
【０００７】
更に、本発明の除湿装置は、吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口から排出される空気に接触する位置に、乾燥剤を収納した部材を係脱自在に係止する係止部を形成したことを特徴とする。
【０００８】
また、本発明の除湿装置は、吸気口及び排気口を有し、前記吸気口から排気口へ至る通気流路を内部に形成した除湿装置本体と、該除湿装置本体内に配設され、前記通気流路を流れる空気を除湿する除湿手段とを有し、前記排気口に除湿剤を着脱自在に装着したことを特徴とする。
【０００９】
尚、前記排気口には、排気方向を調整するルーバーを設け、該ルーバーを構成する壁面間に乾燥剤を収納する収納部を形成することが好ましい。
【００１０】
前記乾燥剤の乾燥運転選択時、除湿手段の風量を増大させることが好ましい。
【００１１】
前記乾燥剤の乾燥運転選択時、乾燥剤を乾燥し得る予め定められた時間経過後に自動的に運転を停止することが好ましい。
【００１２】
前記排気口の上流側に通気流路を流れる空気を加熱する加熱手段を設けることが好ましい。
【００１３】
本発明の除湿装置用アタッチメントは、乾燥剤を収納し、除湿装置の排気口に係脱自在に係止する係止部を形成したことを特徴とする。
【００１４】
また、本発明の除湿装置用アタッチメントは、空気中の水分を吸着する乾燥剤と、側面に多数の開口を有する格子状に形成され、内部に前記乾燥剤を収納する枠体とからなり、前記枠体に、除湿装置の排気口に着脱自在に係止する係止部を形成したことを特徴とする。
【００１５】
尚、前記枠体は、前記乾燥剤を着脱自在に収納することが好ましい。
【発明の効果】
【００１６】
本発明の請求項１の構成によれば、除湿装置本体の排気口から排気される乾燥空気により乾燥剤を再生させることができ、乾燥剤を短時間に容易に再生させることができる等の効果を奏する。
【００１７】
本発明の請求項２の構成によれば、除湿装置本体の通気流路を流れる乾燥空気により乾燥剤を再生させることができ、乾燥剤を短時間に容易に再生させることができる等の効果を奏する。
【００１８】
本発明の請求項３の構成によれば、除湿装置本体の排気口から排気される乾燥空気により乾燥剤を再生させることができ、乾燥剤を短時間に容易に再生させることができる等の効果を奏する。
【００１９】
本発明の請求項４の構成によれば、除湿装置本体の排気口から排気される乾燥空気により乾燥剤を再生させることができ、乾燥剤を短時間に容易に再生させることができる等の効果を奏する。
【００２０】
本発明の請求項５の構成によれば、ルーバーを利用して乾燥剤を収納することができ、構成を簡素化することができると共に、風向調整のためのルーバーを利用しているので、収納室を通過する乾燥空気量が多く、乾燥剤を効率よく再生させることができる等の効果を奏する。
【００２１】
本発明の請求項６の構成によれば、乾燥剤の乾燥運転選択時には、風量を増大させるので、乾燥剤を効率よく再生することができる等の効果を奏する。
【００２２】
本発明の請求項７の構成によれば、乾燥剤の乾燥運転選択時には、所定時間経過後に自動的に運転を停止するので、運転の切り忘れを防止することができ、無駄な電力消費を防止することができる等の効果を奏する。
【００２３】
本発明の請求項８の構成によれば、加熱手段により加熱された乾燥空気により乾燥剤を乾燥するので、乾燥剤を効率よく再生することができる等の効果を奏する。
【００２４】
本発明の請求項９の除湿装置用アタッチメントは、除湿装置の排気口に係止することができ、排気口から排出される乾燥空気により乾燥剤を効率よく短時間で再生することができる等の効果を奏する。
【００２５】
本発明の請求項１０の除湿装置用アタッチメントは、除湿装置の排気口に係止することができ、排気口から排出される乾燥空気により乾燥剤を効率よく短時間で再生することができる等の効果を奏する。
【００２６】
本発明の請求項１１の除湿装置用アタッチメントは、乾燥剤は枠体に対して着脱自在に収納する構成としたので、同じ枠体を他の乾燥剤の再生に利用することができ、使用勝手を向上することができる等の効果を奏する。
【発明を実施するための最良の形態】
【００２７】
以下、本発明の実施形態を図面を参照して詳細に説明する。
【００２８】
図１〜図７は、本発明の一実施形態の構成及び作用を示す図である。
【００２９】
１は除湿装置本体で、背面に吸気口２を形成すると共に、前方上部に前面から上面に亘って凹部３を形成し、該凹部３の底面に排出口４を形成している。前記除湿装置本体１内には、吸気口２から排出口４を経て後述する排気口18に至る通気流路５が形成されている。前記除湿装置本体１内の通気流路５には、下流側からモータ６により回転駆動されて吸気口２から吸引された空気を除湿する除湿素子７、該除湿素子７にて除湿した空気を排気口18から排気する送風ファン８が配設されている。また、吸湿した前記除湿素子７に向かって温風を供給し除湿素子７を再生するヒータ９及びファン10、前記除湿素子７を除湿した温風を冷却して結露させ乾燥空気にする熱交換器11が配設されており、これら除湿素子７、送風ファン８、ヒータ９、熱交換器10等により除湿手段を構成している。12は前記除湿装置本体１下部に前方側から着脱自在に装着されるタンクで、前記除湿手段で除湿した結露水を溜めるようになっている。
【００３０】
前記凹部３には、ルーバー13がモータ14により回動自在に配設されている。前記ルーバー13は、上面15、下面16、及び両側面17からなる正面形状略口字状に形成されている。前記ルーバー13は、前記上面15及び下面16が水平より下方に向く位置から上方に向く位置までの間を回動可能となっており、前方斜め下方位置から上方位置までの範囲内で後述する排気口からの排気の送風範囲を可変としている。
【００３１】
前記ルーバー13は、上面15及び下面16が水平より下方に向いた状態で、下面16と凹部３底面との間に空気の通路となる間隔が形成される。また、前記ルーバー13が上方に向いた状態で、上面15と凹部３背面との間に空気の通路となる間隔が形成され、前記ルーバー13の上面15と下面16との間、ルーバー13の下面16と凹部３底面との間隔、及びルーバー13の上面15と凹部３背面との間隔が除湿手段で除湿された空気の排気口18を構成している。
【００３２】
前記ルーバー13は、上面15、下面16及び両側面17で囲まれる空間に、後述する除湿部材22が収納される収納部19を形成している。前記ルーバー13の上面15と下面16との間隔は、左右方向中央部になるに従って漸次幅狭になるように形成されている。前記ルーバー13の上面15は、下面16より少許前方側へ突出するように形成されると共に、前方側端部が下方側に向かって湾曲している。前記ルーバー13の回転軸20は、ルーバー13側面17の略中央部に形成されており、ルーバー13の収納部19に除湿部材22を収納しても、ルーバー13が除湿部材22と自重によって回動しないようになっている。21は前記ルーバー13の左右方向両側に下面16及び両側面17から延設される延設部で、除湿部材22を収納部19に収納した状態で、除湿部材22の挿入側端部に当接し、除湿部材22のそれ以上の挿入を阻止するようになっている。
【００３３】
22は除湿装置用アタッチメントとなる除湿部材で、左右一対の格子状部材を組み合わせて構成される枠体23と、該枠体23内に収納される乾燥剤24から構成されており、該乾燥剤24は、シリカゲルからなる粒剤を不織布内に収納して形成されている。前記枠体23の格子状部材は、肉厚に形成されており、乾燥剤24が格子状部材の格子の間からはみ出しても、ルーバー13の収納部19への収納状態で、乾燥剤24と収納部19内面との間に空気が通過する隙間を確保するようになっている。
【００３４】
前記枠体23には、前方側端部の中央部分に、ルーバー13の収納部19から除湿部材22を引き出す際の把手25が形成されている。前記枠体23の把手25の上下位置には、突起部26が形成されており、該突起部26は、ルーバー13の収納部19への収納時に、下方に位置する突起部26がルーバー13の下面16先端部に当接して除湿部材22の後方への移動を規制すると共に、上方に位置する突起部26がルーバー13の上面15先端部の湾曲部分の内側に入って上面15の湾曲部分と突起部26の係合により除湿部材22が収納部19から前方側へ抜け出るのを阻止している。前記突起部26は、上下対称位置に形成されており、除湿部材22を上下反転させて収納部19に収納しても、同様に除湿部材22の前後方向への規制を行えるようになっている。
【００３５】
前記ルーバー13の上面15及び下面16は、左右方向中央部になるに従って漸次幅狭になるように形成されているので、ルーバー13の収納部19に除湿部材22を収納した状態では、上面15の湾曲部分と突起部26との係合が強くなり、除湿部材22が多量の水分を吸着して重くなった状態でも、除湿部材22が前方側へ抜け出るのを防止することができる。
【００３６】
而して、除湿部材22の乾燥剤24を乾燥させる際には、ルーバー13の収納部19に除湿部材22を収納し、除湿部材22の乾燥運転モードを選択して除湿装置を運転させる。除湿部材22の乾燥運転モードは、除湿部材22を乾燥させるに十分な予め定めた所定時間、本実施の形態では、２時間運転した後、運転を停止するようになっており、ヒータ９の熱量を強、送風ファン８の風量を強とすると共に、ルーバー13を収納部19に最も排気が流れやすい上向きに回動させ、効率よく除湿部材22の乾燥剤24を乾燥させるようになっている。除湿部材22の乾燥運転モード運転が終了した際には、ルーバー22は上向きに回動した状態を維持し、除湿部材22を引き出しやすくするようになっている。尚、その他の運転モードでは、運転終了時には、ルーバー13は略水平方向に向いて排出口４を閉塞し、排出口４へのゴミ等の侵入を防ぐようになっている。
【００３７】
除湿装置を運転させると、排出口４からの排気の一部がルーバー13の収納部19内に流れ、ルーバー13の収納部19内面と除湿部材22との間を通過して、乾燥剤24を乾燥させる。
【００３８】
乾燥運転モードの運転時間が終了すると、除湿部材22の把手25を把持して除湿部材22をルーバー13の収納部19から引き出し、除湿部材22を乾燥したい場所で使用する。除湿部材22は、除湿部材22に形成された突起部26により被載置面と除湿部材22の乾燥剤24との間隔がより大きくなるため、除湿部材22の配設された空間の空気がより乾燥剤24に接触しやすくなり、除湿部材22の乾燥能力をより向上することができる。
【００３９】
乾燥剤24のシリカゲルには、乾燥能力が低下してくるに従って青からピンクに変化する粒剤を混入しているので、シリカゲルを包む不織布を通して外部から粒剤の色の変化を確認することにより、除湿能力が低下して再生が必要となる時期を確認することができる。
【００４０】
尚、本実施の形態は、枠体23と乾燥剤24とで除湿部材22を構成し、除湿部材22を乾燥剤として使用する構成としたが、乾燥剤24を枠体23から着脱自在な構成とし、乾燥剤24を除湿装置本体１の収納部19に装着して再生する際にのみ枠体23に装着し、乾燥剤24を枠体23から取り外して乾燥場所にて使用する構成としてもよい。
【００４１】
また、乾燥剤24を複数に分割して形成し、それぞれ分離して使用できる構成としてもよい。更に、乾燥剤24を、必要に応じて脱臭剤や芳香剤と組み合わせて枠体23に収納し、乾燥場所にて使用してもよく、再生時に脱臭剤や芳香剤と組み合わせて室内空気の脱臭や、芳香の拡散に用いてもよい。
【００４２】
また、ルーバー13の収納部19に乾燥剤24のみを収納して再生する構成としてもよい。この構成を採用する際には、ルーバー13の収納部19除湿装置本体１側に格子を複数箇所形成し、この格子により乾燥剤24の脱落を防止する構成とすることが好ましい。
【００４３】
図７は本発明の他の実施形態を示し、送風ファン８から排出口４へ至る通気流路５の途中に除湿部材22の収納部27を形成している。収納部27には、収納籠28が回動自在に形成されており、収納籠28を開けた状態で収納籠28内に除湿部材22を収納可能とし、収納籠28を収納部27に収納して、収納籠28側面にて収納部27側面の開口を閉塞するようになっている。収納籠28は、通気流路５を流れる空気の抵抗とならないように底面を格子状に形成している。また、収納籠28は、除湿部材22の収納状態で、内面と除湿部材22との間に、通気流路5を流れる除湿された空気が通過するのに十分な面積の通路が形成されるように形成されている。
【００４４】
また、本実施の形態においても、枠体23と乾燥剤24とで除湿部材22を構成し、除湿部材22を乾燥剤として使用する構成としたが、乾燥剤24を枠体23から着脱自在な構成とし、乾燥剤24を除湿装置本体１の収納部27に装着して再生する際にのみ枠体23に装着し、乾燥剤24を枠体23から取り外して乾燥場所にて使用する構成としてもよい。更に、収納部27に乾燥剤24のみを収納して再生する構成としてもよい。
【００４５】
図８は、本発明の更に他の実施形態を示し、除湿部材22の枠体23に係合部29を形成すると共に、除湿装置本体１の排気口30に除湿部材22の枠体23の係合部29が係合する係止部31を形成している。この係止部31は、除湿部材22が係合部29を係止部31に係合した状態で、排気口30からの排気が除湿部材22に当たる位置に形成されており、排気口30からの乾燥空気により除湿部材22の乾燥剤24を再生するようになっている。
【００４６】
図９は、本発明の更に他の実施形態を示し、除湿装置本体１の排気口32に回動自在に形成したルーバー33を上方に向けた状態で、ルーバー33先端に除湿部材22の係合部34を係脱自在に係止する構成としており、ルーバー33先端が除湿部材22を係止する係止部を構成している。除湿部材22は、ルーバー33に係合部34を係止した状態で、排気口32からの乾燥空気が当たるように装着され、排気口32からの乾燥空気により除湿部材22の乾燥剤24が再生される。
【図面の簡単な説明】
【００４７】
【図１】本発明の一実施形態を示す要部を拡大した一部破断図である。
【図２】同側面図である。
【図３】同断面図である。
【図４】同他の方向から見た断面図である。
【図５】同要部拡大断面図である。
【図６】同除湿部材（除湿装置用アタッチメント）を示す平面図である。
【図７】同他の実施形態を示す側面図である。
【図８】同更に他の実施形態を示す要部を拡大した一部破断図である。
【図９】同更に他の実施形態を示す要部を拡大した一部破断図である。
【符号の説明】
【００４８】
１    除湿装置本体
２    吸気口
５    通気流路
13    ルーバー
18    排気口
19    収納部
22    除湿部材（除湿装置用アタッチメント）
23    枠体
24    乾燥剤
27    収納部
29    係合部
30    排気口
31    係止部
32    排気口
33    ルーバー
34    係合部
【図１】
2008212823.tif 000003
【図２】
2008212823.tif 000004
【図３】
2008212823.tif 000005
【図４】
2008212823.tif 000006
【図５】
2008212823.tif 000007
【図６】
2008212823.tif 000008
【図７】
2008212823.tif 000009
【図８】
2008212823.tif 000010
【図９】
2008212823.tif 000011